(57)【要約】適応ＳＴＴＤ（Ｓｐａｃｅ−ｔｉｍｅ  Ｔｒａｎｓｍｉｔ  Ｄｉｖｅｒｓｉｔｙ）を実現することができる無線通信システムを開示する。このシステムにおいて、受信装置はチャネル推定により複数送信アンテナの全組み合わせにおける各サブストリームのＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）と、複数送信アンテナの全組み合わせにおけるシステム全体の性能とを計算し、システム全体の性能が最良となる特定の組み合わせを決定し、アンテナ選択用パラメータを得る。なお、決定された特定の組み合わせにおける各サブストリームのＳＩＮＲを用いてＡＭＣパラメータを決定する。送信装置は、受信装置からフィードバックされるＡＭＣパラメータに基づきＡＭＣおよびＳＴＴＤを行い、また受信装置からフィードバックされるアンテナ選択用パラメータに基づき、送信アンテナの特定の組み合わせを選択して送信を行う。【特許請求の範囲】
【請求項１】
複数アンテナを用いて通信を行う無線通信システムの無線通信方法であって、
前記無線通信システムの受信側は、
チャネルを推定し、送信アンテナの全組み合わせにおける各サブストリームのＳＴＴＤ復号後のＳＩＮＲを計算するステップと、
前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記総伝送性能のパラメータが最良の送信アンテナの組み合わせを、当面選択する組み合わせとして、アンテナ選択パラメータを得るステップと、
前記選択された組み合わせにおいて計算して得られる、各サブストリームのＳＴＴＤ復号後のＳＩＮＲに基づき、各サブストリームに対して適応変調符号化パラメータを選択するステップと、
前記アンテナ選択パラメータおよび前記選択された適応変調符号化パラメータをフィードバックチャネルを用いて送信側にフィードバックするステップと、
を実行し、
前記無線通信システムの送信側は、
前記受信側からフィードバックされる適応変調符号化パラメータに基づき、送信データに対して適応変調および符号化を行うステップと、
ＳＴＴＤ符号化を行い、前記受信側からフィードバックされるアンテナ選択パラメータに基づき、アンテナの組み合わせを選択し、前記選択されたアンテナの組み合わせを用いて前記送信データを送信するステップと、
を実行する、
無線通信方法。
【請求項２】
前記受信側は、
以前に保存していた前記適応変調符号化パラメータおよび前記アンテナ選択パラメータに基づき、ＳＴＴＤ復号処理および適応復調復号処理を行い、元の送信データを取得するステップ、
をさらに実行する請求項１記載の無線通信方法。
【請求項３】
前記総伝送性能のパラメータは、
前記無線通信システムの総通信容量である、
請求項１記載の無線通信方法。
【請求項４】
前記無線通信システムの総通信容量は、
前記送信アンテナの全組み合わせにおけるＳＩＮＲを用いてシャノン（Ｓｈａｎｎｏｎ）の式により得られる、
請求項３記載の無線通信方法。
【請求項５】
前記総伝送性能のパラメータは、
適応変調符号化の実際のスループットである、
請求項１記載の無線通信方法。
【請求項６】
前記適応変調符号化の実際のスループットは、
前記適応変調符号化パラメータに対応するスループットの総和である、
請求項５記載の無線通信方法。
【請求項７】
前記送信側で行われる適応変調符号化、ＳＴＴＤ、およびアンテナ組合せ選択は、
１つのサブストリームが２つまたは２つ以上の固定の送信アンテナに対応する方式で行われる、
請求項１記載の無線通信方法。
【請求項８】
複数アンテナを用いて通信を行う無線通信システムの無線受信装置であって、
チャネルを推定するチャネル推定手段と、
前記推定手段の出力に基づき、送信アンテナの全組み合わせにおける各サブストリームのＳＴＴＤ復号後のＳＩＮＲを計算し、前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記記総伝送性能のパラメータがもっとも良い送信アンテナの組み合わせを、当面選択する組み合わせとして、アンテナ選択パラメータと前記選択されたアンテナ組み合わせにおいて計算された各サブストリームのＳＴＴＤ復号後のＳＩＮＲとを出力し、送信側に前記アンテナ選択パラメータをフィードバックするアンテナ選択パラメータ決定手段と、
前記アンテナ選択パラメータ決定手段から受ける、前記選択されたアンテナ組み合わせにおいて計算された各サブストリームのＳＴＴＤ復号後のＳＩＮＲに基づき、各サブストリームに対して適応変調符号化パラメータを選択し、前記選択された適応変調符号化パラメータを送信側にフィードバックする適応変調符号化パラメータ選択手段と、
以前に保存していた前記適応変調符号化パラメータおよび前記アンテナ選択パラメータに基づき、ＳＴＴＤ復号処理および適応復調復号処理を行い、もとのデータを取得するＭＩＭＯ検出手段と、
を具備する無線受信装置。
【請求項９】
前記総伝送性能のパラメータは、
前記無線通信システムの総通信容量である、
請求項８記載の無線受信装置。
【請求項１０】
前記無線通信システムの総通信容量は、
前記送信アンテナの全組み合わせにおけるＳＩＮＲを用いてシャノンの式により得られる、
請求項９記載の無線受信装置。
【請求項１１】
前記総伝送性能のパラメータは、
適応変調符号化の実際のスループットである、
請求項８記載の無線受信装置。
【請求項１２】
前記適応変調符号化の実際のスループットは、
前記適応変調符号化パラメータに対応するスループットの総和である、
請求項１１記載の無線受信装置。
【請求項１３】
複数アンテナを用いて通信を行う無線通信システムの無線送信装置であって、
受信側からフィードバックされる適応変調符号化パラメータに基づき、データに対して適応変調および符号化を行う適応変調符号化手段と、
ＳＴＴＤ符号化を行う、ＳＴＴＤ符号化手段と、
受信側からフィードバックされるアンテナ選択パラメータに基づき、アンテナの組み合わせを選択し、前記選択されたアンテナの組み合わせを用いて前記データを送信するアンテナ選択手段と、
を具備する無線送信装置。
【請求項１４】
前記送信側で行われる適応変調符号化、ＳＴＴＤ、およびアンテナ組合せ選択は、
１つのサブストリームが２つまたは２つ以上の固定の送信アンテナに対応する方式で行われる、
請求項１記載の無線通信方法。
【請求項１５】
複数の送信アンテナを用いて複数信号を送信する無線送信装置と、複数の受信アンテナを用いて前記複数信号を受信する無線受信装置と、を具備する無線通信システムであって、
前記無線受信装置は、
前記複数信号を用いてチャネル推定を行い、チャネル推定行列を生成するチャネル推定手段と、
前記チャネル推定行列を用いて前記複数の送信アンテナの全組み合わせにおける前記無線通信システム全体の性能を求め、当該性能が最良となるような特定の組み合わせを決定する決定手段と、
前記特定の組み合わせに関する情報を前記無線送信装置に通知する通知手段と、
を具備し、
前記無線送信装置は、
前記無線受信装置から通知される前記特定の組み合わせに従って、送信に使用する前記送信アンテナを選択するアンテナ選択手段と、
前記選択された送信アンテナを用いて前記複数信号を送信する送信手段と、
を具備する、
無線通信システム。
【発明の詳細な説明】
【技術分野】
【０００１】  本発明は、複数アンテナを用いて通信を行う無線通信方法、無線受信装置、無線送信装置、および無線通信システムに関する。
【背景技術】
【０００２】  近年、限られた周波数帯域を有効に利用し、高品質で高速な伝送を実現するシステムとして、ＭＩＭＯ（Ｍｕｌｔｉｐｌｅ−Ｉｎｐｕｔ  Ｍｕｌｔｉｐｌｅ−Ｏｕｔｐｕｔ）システムが注目されている。ＭＩＭＯシステムは、送受信双方に複数アンテナを用い、複数の固有ベクトルにより独立な信号を同一帯域において同時に送受信するシステムである。ＭＩＭＯシステムは、シングルアンテナシステムと比べて複数アンテナを用いることにより周波数帯域の拡大なしに伝送通信容量の拡大を図ることができ、伝送速度を向上することができる。【０００３】  ＭＩＭＯ技術を適用した無線通信システムの伝送速度をさらに向上させるために、ＭＩＭＯを適用したシステムにＳＴＴＤ（Ｓｐａｃｅ−Ｔｉｍｅ  Ｔｒａｎｓｍｉｔ  Ｄｉｖｅｒｓｉｔｙ）を導入した技術が、提案されている。ＳＴＴＤは２つのアンテナを使用して該当アンテナを通じて伝送されるシンボル間のコーディングを通じて時間的なダイバーシチ利得だけでなく、空間的なダイバーシチ利得を得るための技法である。提案された技術は、４つの送信アンテナを用いたシステムにＳＴＴＤ技術を組み込んだため、この構成はＤＳＴＴＤ（Ｄｏｕｂｌｅ−ＳＴＴＤ）構成と呼ばれる。【０００４】  なお、上記のＤＳＴＴＤ構成を採るシステムのスループットをさらに向上させるために、ＤＳＴＴＤにＡＭＣを導入したＤＳＴＴＤ−ＳＧＲＣ（ＤＳＴＴＤ−Ｓｕｂ−Ｇｒｏｕｐ  Ｒａｔｅ  Ｃｏｎｔｒｏｌ）が、提案されている。ＡＭＣ技術とは、変調方式や誤り訂正符号化率を適応的にかつ高速に変更する技術である。例えば伝播環境が良好なほど、高速の変調方式を用い、訂正符号化レートを大きくすることで、伝送速度を向上させ、システムのスループットを向上させる。【０００５】  現在、ＤＳＴＴＤおよびＤＳＴＴＤ−ＳＧＲＣはすでに３ＧＰＰ（３ｒｄ  Ｇｅｎｅｒａｔｉｏｎ  Ｐａｒｔｎｅｒ  Ｐｒｏｊｅｃｔ）規格となっており、将来ＭＩＭＯを適用するシステムにおいて、もっとも採用される可能性の高い技術である。すなわち、ＭＩＭＯシステムにＳＴＴＤ技術とＡＭＣ技術とを同時に適用することによって、適応時空間ダイバーシチを実現することができる。
【発明の開示】
【０００６】  そこで、上記のようなＤＳＴＴＤおよびＤＳＴＴＤ−ＳＧＲＣの無線通信システムにおいては複数アンテナが構成するチャネルが時々刻々変化しているため、この変化を考慮して対処すれば、システム全体の性能をさらに向上させることができる。
【０００７】  よって、本発明の目的は、チャネルが時間変動することを考慮して、システム全体の性能を向上させることができる無線通信システム、無線受信装置、無線送信装置、および無線通信方法を提供することである。
【０００８】  本発明の技術思想は、受信側で時間変動するチャネルを推定し、チャネル推定結果に基づき、複数送信アンテナの全組み合わせそれぞれにおけるシステム全体の性能を計算して、システム全体の性能が最良となるような特定の組み合わせを決定し、決定結果を送信側にフィードバックする。送信側は受信側からフィードバックされた決定結果を用いて、送信アンテナの特定の組み合わせを選択して、この特定の組み合わせの送信アンテナを用いて、ＳＴＴＤ符号化された信号を送信する。これによって、チャネル変動に応じた適応ＳＴＴＤを実現し常時、システムの性能を最良の状態に維持することができる。
【０００９】  例えば、本発明の第１の態様は、複数の送信アンテナを用いて複数信号を送信する無線送信装置と、複数の受信アンテナを用いて前記複数信号を受信する無線受信装置と、を具備する無線通信システムであって、前記無線受信装置は、前記複数信号を用いてチャネル推定を行い、チャネル推定行列を生成するチャネル推定手段と、前記チャネル推定行列を用いて前記複数の送信アンテナの全組み合わせにおける前記無線通信システム全体の性能を求め、当該性能が最良となるような特定の組み合わせを決定する決定手段と、前記特定の組み合わせに関する情報を前記無線送信装置に通知する通知手段と、を具備し、前記無線送信装置は、前記無線受信装置から通知される前記特定の組み合わせに従って、送信に使用する前記送信アンテナを選択するアンテナ選択手段と、前記選択された送信アンテナを用いて前記複数信号を送信する送信手段と、を具備する構成を採る。
【００１０】  本発明によれば、複数アンテナを用いて通信を行う無線通信システムにおいて、システム全体の性能を向上させることができる。
【図面の簡単な説明】
【００１１】
【図１】本発明の実施の形態１に係るＭＩＭＯシステムの主要な構成を示すブロック図
【図２】本発明の実施の形態１に係るＭＩＭＯシステムにおいてアンテナの組み合わせを選択する処理を示すシーケンス図
【図３】本発明の実施の形態１に係るアンテナ選択用パラメータを決定する処理の手順を示すフロー図
【図４】本発明の実施の形態２に係る各サブストリームのスループットを求めるために用いられるテーブルを示す図
【図５】本発明の実施の形態２に係るシステム全体のスループットを求める処理の手順を示すフロー図
【図６】本発明を適用した場合と適用しなかった場合との無線通信システムの性能を比較して示す図
【発明を実施するための最良の形態】
【００１２】  以下、本発明の実施の形態について、添付図面を参照して詳細に説明する。【００１３】  （実施の形態１）
図１は、本発明の実施の形態１に係るＭＩＭＯシステム１００の主要な構成を示すブロック図である。ここでは、複数アンテナを用いる無線通信システムとして、ＡＭＣおよびＳＴＴＤを適用したＭＩＭＯシステム１００を例にとって説明する。【００１４】  ＭＩＭＯシステム１００は、無線送信装置１５０と無線受信装置１６０とを備える。無線送信装置１５０は、Ｓ／Ｐ（シリアル／パラレル）変換部１０１、ＡＭＣ部１０２−１〜１０２−ｎＴ／２（以下、ＡＭＣ部１０２と総称する場合がある）、ＳＴＴＤ符号化部１０３−１〜１０３−ｎＴ／２（以下、ＳＴＴＤ符号化部１０３と総称する場合がある）、アンテナ選択部２０１、および送信アンテナ１０４−１〜１０４−ｎＴ（以下、送信アンテナ１０４と総称する場合がある）からなり、無線受信装置１６０は、受信アンテナ１０５−１〜１０５−ｎＲ（以下、受信アンテナ１０５と総称する場合がある）、チャネル推定部１０８、アンテナ選択用パラメータ決定部２０２、ＡＭＣパラメータ決定部１０７、およびＭＩＭＯ検出部１０６からなる。【００１５】  無線送信装置１５０において、Ｓ／Ｐ変換部１０１は、入力される送信データ（Ｔｘ  Ｄａｔａ）に対してＳ／Ｐ変換処理を施しｎＴ／２個のサブストリームを生成して、ＡＭＣ部１０２−１〜１０２−ｎＴ／２それぞれに出力する。以下、Ｓ／Ｐ変換部１０１において生成された各サブストリームをＳ１，Ｓ２，…，ＳｎＴ／２と記す。ＡＭＣ部１０２−１〜１０２−ｎＴ／２それぞれは、フィードバックチャネル１０９を介して無線受信装置１６０からフィードバックされるＡＭＣパラメータＭ１〜ＭｎＴ／２それぞれに基づき、Ｓ／Ｐ変換部１０１から入力されるサブストリームＳ１〜ＳｎＴ／２それぞれに対して適応変調およびチャネルコーディング符号化処理（以下、ＡＭＣ処理と称する場合がある）を行う。ＳＴＴＤ符号化部１０３−１〜１０３−ｎＴ／２それぞれは、ＡＭＣ部１０２−１〜１０２−ｎＴ／２それぞれから入力される、ＡＭＣ処理されたサブストリームＳ１〜ＳｎＴ／２対してＳＴＴＤ処理を施し、生成された２つの信号をそれぞれアンテナ選択部２０１に出力する。すなわち、１つのサブストリームから２つの送信信号が生成され、従って１つのサブストリームは２つの送信アンテナに対応している。【００１６】  アンテナ選択部２０１は、フィードバックチャネル１０９を介して無線受信装置１６０からフィードバックされるアンテナ選択用パラメータＣに基づき、ＳＴＴＤ符号化部１０３−１〜１０３−ｎＴ／２から入力される信号それぞれを適応的に送信アンテナ１０４−１〜１０４−ｎＴの何れかに出力する。例えばアンテナ選択部２０１は、アンテナ選択用パラメータＣに基づきＳＴＴＤ符号化部１０３−１から入力される２つの信号のうち、１つを送信アンテナ１０４−５に出力し、もう１つを送信アンテナ１０４−１０に出力する。すなわちアンテナ選択用パラメータＣは、送信アンテナ１０４−１〜１０４−ｎＴの組み合わせの１つを示すものであり、ＳＴＴＤ符号化部１０３−１〜１０３−ｎＴ／２から入力される複数の送信信号と、複数の送信アンテナ１０４−１〜１０４−ｎＴとの対応関係を示す。このように、ＳＴＴＤ符号化部１０３−１〜１０３���ｎＴ／２によりＳＴＴＤされた信号は、適応的に選択された送信アンテナの特定の組み合わせを用いて送信されるため、このようなＳＴＴＤをここでは適応ＳＴＴＤと称する。【００１７】  無線受信装置１６０において受信アンテナ１０５−１〜１０５−ｎＲは、送信アンテナ１０４−１〜１０４−ｎＴから送信される信号を受信する。チャネル推定部１０８は、受信アンテナ１０５−１〜１０５−ｎＲが受信した信号のうち、パイロットチャネル信号を用いて、あるいは他の方法によってチャネル推定を行い、現在のチャネルの特性を示すチャネル推定行列Ｈをアンテナ選択用パラメータ決定部２０２およびＭＩＭＯ検出部１０６に出力する。【００１８】  アンテナ選択用パラメータ決定部２０２は、チャネル推定部１０８から入力されるチャネル推定行列Ｈに基づき、送信アンテナの全組み合わせそれぞれにおける各サブストリームのＳＴＴＤ復号後のＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）を求めて、さらに、システム全体の性能が最良となる送信アンテナの特定の組み合わせを決定し、アンテナ選択用パラメータＣを得る。アンテナ選択用パラメータ決定部２０２におけるアンテナ選択用パラメータＣの決定処理の詳細については後述する。アンテナ選択用パラメータ決定部２０２は、チャネル推定行列Ｈまたは、送信アンテナの全組み合わせそれぞれにおける各サブストリームのＳＴＴＤ復号後のＳＩＮＲをＡＭＣパラメータ決定部１０７に出力する。またアンテナ選択用パラメータ決定部２０２は、次回の受信処理用にアンテナ選択用パラメータＣをＭＩＭＯ検出部１０６に出力し、次回の送信処理用にフィードバックチャネル１０９を介してアンテナ選択用パラメータＣを無線送信装置１５０のアンテナ選択部２０１にフィードバックする。【００１９】  ＡＭＣパラメータ決定部１０７は、アンテナ選択用パラメータ決定部２０２から入力される、送信アンテナの全組み合わせそれぞれにおける各サブストリームのＳＴＴＤ復号後のＳＩＮＲを用いて、ＡＭＣパラメータＭを決定する処理を行う。ＡＭＣパラメータＭは、ＡＭＣ部１０２−１〜１０２−ｎＴ／２の各々に用いられるＡＭＣパラメータＭ１〜ＭｎＴ／２それぞれからなり、各サブストリームＳ１〜ＳｎＴ／２が経由するチャネルの特性に応じてシステムの性能が最良となる適応変調およびチャネルコーディングパラメータである。なお、フィードバック用のシステムリソースの消費を削減するために、各ＡＭＣパラメータＭ１〜ＭｎＴ／２として、変調方式およびチャネルコーディングの符号化率そのものではなく、変調方式およびチャネルコーディングの符号化率を示す識別番号をフィードバックしても良い。ＡＭＣパラメータ決定部１０７は、次回の送信処理用に、フィードバックチャネル１０９を介してＡＭＣパラメータＭを無線送信装置１５０のＡＭＣ部１０２にフィードバックする。ＡＭＣパラメータ決定部１０７は、また次回の受信処理用にＡＭＣパラメータＭをＭＩＭＯ検出部１０６に出力する。【００２０】  ＭＩＭＯ検出部１０６は、前回の受信処理においてアンテナ選択用パラメータ決定部２０２から入力されたアンテナ選択用パラメータＣとＡＭＣパラメータ決定部１０���から入力されるＡＭＣパラメータＭとを用いて、受信アンテナ１０５−１〜１０５−ｎＲが受信した受信信号から、送信データとして無線送信装置１５０に入力されたＴｘ  Ｄａｔａを検出する。具体的にはＭＩＭＯ検出部１０６は、まず受信アンテナ１０５が受信した受信信号に対してＺＦ（Ｚｅｒｏ  Ｆｏｒｃｉｎｇ）またはＭＭＳＥ（Ｍｉｎｉｍｕｍ  Ｍｅａｎ  Ｓｑｕａｒｅ  Ｅｒｒｏｒ）などの空間分離処理を施し、ｎＴ／２個のサブストリームを検出する。検出された各サブストリームは、さらにＳＴＴＤ復号処理、復調およびチャネルデコーディング処理、Ｐ／Ｓ変換処理を施されて、無線送信装置１５０から送信されたデータ、すなわちＲｘ  Ｄａｔａを出力する。ここで受信データをＲｘ  Ｄａｔａと記す。ＭＩＭＯ検出部１０６におけるＳＴＴＤ復号処理は、ＳＴＴＤ符号化部１０３におけるＳＴＴＤ符号化処理の逆処理であり、ＭＩＭＯ検出部１０６における適応復調およびチャネルでコーディング処理は、ＡＭＣ部１０２におけるＡＭＣ処理の逆処理である。【００２１】  フィードバックチャネル１０９は、アンテナ選択用パラメータ決定部２０２がアンテナ選択用パラメータＣをアンテナ選択部２０１にフィードバックするのに用いられる、またＡＭＣパラメータ決定部１０７がＡＭＣパラメータＭをＡＭＣ部１０２にフィードバックするのに用いられる。【００２２】  図２は、本実施の形態に係るＭＩＭＯシステム１００においてアンテナの組み合わせを選択する処理を示すシーケンス図である。このシーケンス図が示す処理は、無線送信装置１５０が送信を行う度に行われる。この図においてＳＴ（ステップ）３０１、ＳＴ３０２、ＳＴ３０３、ＳＴ３０４、およびＳＴ３０８は無線受信装置１６０の動作を示し、ＳＴ３０５、ＳＴ３０６、およびＳＴ３０７は無線送信装置１５０の動作を示す。【００２３】  まずチャネル推定部１０８は、チャネル推定を行いチャネル推定行列Ｈを得る（ＳＴ３０１）。次いでアンテナ選択用パラメータ決定部２０２は、アンテナ選択用パラメータ決定処理を行いアンテナ選択用パラメータＣを決定する（ＳＴ３０２）。次いでＡＭＣパラメータ決定部１０７は、ＡＭＣパラメータＭを決定する（ＳＴ３０３）。次いでアンテナ選択用パラメータ決定部２０２はアンテナ選択用パラメータＣをＭＩＭＯ検出部１０６に出力し、ＡＭＣパラメータ決定部１０７はＡＭＣパラメータＭをＭＩＭＯ検出部１０６に出力する（ＳＴ３０４）。またＳＴ３０４で、アンテナ選択用パラメータ決定部２０２はアンテナ選択用パラメータＣを無線送信装置１５０のアンテナ選択部２０１にフィードバックし、ＡＭＣパラメータ決定部１０７はＡＭＣパラメータＭをＡＭＣ部１０２にフィードバックする。次いでＡＭＣ部１０２は、無線送信装置１５０に入力される送信データＴｘ  Ｄａｔａに対して、ＡＭＣパラメータ決定部１０７からフィードバックされたＡＭＣパラメータＭを用いて、ＡＭＣ処理を施す（ＳＴ３０５）。次いでＳＴＴＤ符号化部１０３で、ＳＴＴＤ符号化処理が行われる（ＳＴ３０６）。次いでアンテナ選択部２０１は、アンテナ選択用パラメータ決定部２０２からフィードバックされたアンテナ選択用パラメータＣを用いて、アンテナ選択を行い送信信号を送信する（ＳＴ３０７）。次いで、無線送信装置１５０から送信される信号を受信した無線受信装置１６０において、ＭＩＭＯ検出部１０６はＡＭＣパラメータＭおよびアンテナ選択用パラメータＣを用いて、各サブストリームを検出し、ＳＴＴＤ復号処理、復調処理、チャネルデコーディング処理、およびＰ／Ｓ処理を施し、受信データＲｘ  Ｄａｔａを得て出力する（ＳＴ３０８）。【００２４】  図３は、アンテナ選択用パラメータ決定部２０２においてアンテナ選択用パラメータＣを決定する処理の手順を示すフロー図である。このフロー図は、図２に示したＳＴ３０２のより詳細な処理を示す。【００２５】  本実施の形態では、適応ＳＴＴＤを実現するために、通信チャネルの条件に応じて、複数送信アンテナの組み合わせを選択する処理を示す。複数送信アンテナの個数がｎＴである場合、これらの送信アンテナ１０４−１〜１０４−ｎＴの可能な組み合わせの総数は下記の式（１）に示すＫとなり、以下、各組み合わせをＣ１、Ｃ２、…、ＣＫで表す。
【数１】
2006075661.tif 000002
例えば、ｎＴ＝４の場合、送信アンテナ１０４−１〜１０４−４の可能な組み合わせの総数Ｋは３となり、各組み合わせはＣ１＝｛（１，２）；（３，４）｝、Ｃ２＝｛（１，３）；（２，４）｝、Ｃ３＝｛（１，４）；（２，３）｝である。ここで、ｎＴ＝４であるため、無線送信装置１５０で設けるＳＴＴＤ符号化部の数（ｎＴ／２）は２であり、組み合わせＣ３＝｛（１，４）；（２，３）｝は、ＳＴＴＤ符号化部１０３−１が出力する２つの信号は第１送信アンテナ１０４−１および第４送信アンテナ１０４−４を介して送信され、ＳＴＴＤ符号化部１０３−２が出力する２つの信号は送信アンテナ１０４−２および送信アンテナ１０４−３を介して送信されることを表す。以下、例えば（１，４）または（２，３）のように同一のＳＴＴＤ符号化部から出力される２つの信号を送信する２つのアンテナを１セットと称す。ここで、アンテナの１セットが決まれば、この２つの信号とこの１セットを構成する２つのアンテナとの間の対応関係は考慮しなくて良い。すなわち（１，４）＝（４，１）という式は成立する。なお、アンテナの全セットが決まれば、各ＳＴＴＤ符号化部と各アンテナのセットとの対応関係は、システム全体の性能を影響しないため考慮しなくて良い。すなわちＣ３＝｛（１，４）；（２，３）｝＝｛（２，３）；（１，４）｝という式も成立する。【００２６】  まずＳＴ４０１は、アンテナ選択用パラメータＣを決定する処理のスタートを示し、この処理の初期条件として、チャネル推定行列Ｈは既知である。すなわちチャネル推定行列Ｈはアンテナ選択用パラメータＣを決定する処理を行う前に、チャネル推定部１０８の推定処理により得られたものである。【００２７】  次いでＳＴ４０２でアンテナ選択用パラメータ決定部２０２は、送信アンテナの全組み合わせそれぞれにおいて、各サブストリームのＳＴＴＤ復号後のＳＩＮＲ（ｉ，ｊ）を求める。ここでＳＩＮＲ（ｉ，ｊ）の第１要素「ｉ」（ｉ＝１，２，…，Ｋ）は送信アンテナの組み合わせの番号であり、第２要素「ｊ」は各サブストリームを示す番号である。送信アンテナの組み合わせの変化は、チャネル推定行列Ｈの対応する列変換（列同士の置換）で表すことが可能であるため、送信アンテナの全組み合わせにおいて各ストリームのＳＴＴＤ復号後のＳＩＮＲを求めることとは、チャネル推定行列Ｈの各列変換に対応する各サブストリームのＳＴＴＤ復号後のＳＩＮＲを求めることである。換言すればチャネル推定行列Ｈに対応する各サブストリームのＳＴＴＤ復号後のＳＩＮＲの各列変換を求めることである。具体的に説明すると以下の通りである。例えばチャネル推定行列Ｈに対応する送信アンテナの組み合わせがＣ３とすれば、組み合わせＣ３における各サブストリームのＳＴＴＤ復号後のＳＩＮＲはＳＩＮＲ（３，ｊ）（ｊ＝１，２，…，ｎＴ／２）で表される。次いで、組み合わせＣ１は組み合わせＣ３の列変換であるため、Ｃ１に対応するＳＩＮＲ（１，ｊ）は、Ｃ３に対応するＳＩＮＲ（３，ｊ）に対して同様な列変換を行って求めることが可能である。同様に全組み合わせＣ１〜ＣＫそれぞれに対応するＳＩＮＲ（ｉ，ｊ）も、ＳＩＮＲ（３，ｊ）に対して列変換を行って求められる。【００２８】  なお、上記のＳＩＮＲ（３，ｊ）を求めるためには、各サブストリームのＳＴＴＤ復号前のＳＩＮＲ（ここでは、ＳＩＮＲ’（３，ｊ）と記す）を求める必要があり、ＳＩＮＲ’（３，ｊ）は、ＭＩＭＯ検出部１０６においてＺＦまたはＭＭＳＥなどの空間分離処理により分離された各サブストリームに対して求めたＳＩＮＲである。ＳＩＮＲ’（３，ｊ）が得られると、ＳＩＮＲ（３，ｊ）はＳＩＮＲ’（３，ｊ）にＳＴＴＤ符号化ゲインを加えることにより求められる。すなわち、ＳＴＴＤ符号化ゲインをＧとすると、ＳＩＮＲ（３，ｊ）＝Ｇ＊ＳＩＮＲ’（３，ｊ）である。【００２９】  次いでＳＴ４０３でアンテナ選択用パラメータ決定部２０２は、ＳＴ４０２で求められたＳＩＮＲ（ｉ，ｊ）（ここでｉ＝１，２，…，Ｋ、ｊ＝１，２，…，ｎＴ／２）を用いて、送信アンテナの全組み合わせそれぞれにおけるシステム全体の性能を求める。ここでは、システム全体の性能としてシステム全体の総通信容量を求める。例えば、下記の式（２）により、送信アンテナの全組み合わせそれぞれにおけるシステム全体の総通信容量Ｒｉ（ここでｉ＝１，２，…，Ｋ）を計算する。
【数２】
2006075661.tif 000003
式（２）が示すように、システム全体の総通信容量Ｒｉは、送信アンテナの組み合わせＣｉにおける、各ストリームの通信容量の総和であり、送信アンテナの各組み合わせにおいて各ストリームのＳＴＴＤ復号後のＳＩＮＲ（ｉ，ｊ）を用いてシャノンの式により求められる。【００３０】  次いでＳＴ４０４で、システム全体の総通信容量Ｒｉが最大であるｉを選択して、アンテナ選択用パラメータＣと決定する。【００３１】  次いでＳＴ４０５は、アンテナ選択用パラメータ決定部２０２におけるアンテナ選択用パラメータの決定処理のエンドを示す。上記のアンテナ選択用パラメータＣの決定処理のＳＴ４０４において決めたアンテナ選択用パラメータＣは、図２に示す手順のＳＴ３０４において、無線送信装置１５０のアンテナ選択部２０１にフィードバックされる。【００３２】  このように、本実施の形態によれば、複数のアンテナを用いて通信を行う無線通信システムにおいて、システム全体の性能が最良となるように、アンテナの組み合わせを送信するたびに選択して決めるため、無線通信システムの総通信容量を向上させることができ、伝送速度を向上させことができる。【００３３】  なお、本実施の形態ではアンテナ選択用パラメータＣを決定する処理において、ＳＩＮＲを用いる場合を例にとって説明したが、ＳＮＲ（Ｓｉｇｉｎａｌ  ｔｏ  Ｎｏｉｓｅ  Ｒａｔｉｏ）を用いても良い。【００３４】  また、本実施の形態では１つのサブストリームが２つの送信アンテナに対応して送信される場合を例にとって説明したが、これに限定されずに、１つのサブストリームが２つ以上の送信アンテナに対応して送信されても良い。【００３５】  （実施の形態２）
本実施の形態は、基本的に実施の形態１と同様であり、アンテナ選択用パラメータ決定部２０２がアンテナ選択用パラメータＣを決定する処理において、システム全体の性能としてシャノン式により求められたシステム全体の総通信容量ではなく、システム全体の実際のスループットを用いる点で相違する。すなわち、図３に示すフロー図のＳＴ４０３およびＳＴ４０４の処理以外の部分は実施の形態１と同様であるため、ここでは、ＳＴ４０３およびＳＴ４０４の処理以外の部分に関する説明は略す。【００３６】  図４に示す表は、各サブストリームのスループットを求めるために用いられるテーブルである。このテーブルは、複数の変調方式および誤り訂正符号化率の組み合わせを示し、第１列はこのような組み合わせに付けられたランクＭを、第２列は誤り訂正符号化パラメータを、第３列は変調パラメータを示す。第４列は、同一の行の第２列が示す誤り訂正符号化率と第３列が示す変調方式との組み合わせで、実際にサブストリームに対してＡＭＣ処理を施し通信を行う場合、サブストリームのスループットを示す。ここで、Ｍｊ＝０（ｊ＝０，１，…，ｎＴ／２）に対応する「伝送しない」というパラメータはサブストリームＳｊを用いてはデータを送信しないことを表す。従って対応するスループットＴは０である。【００３７】  図５は、システム全体のスループットを求める処理の手順を示すフロー図である。この図は、すなわち図３に示すフロー図のＳＴ４０３の詳細なステップを示す。【００３８】  まず、ＳＴ４３１でアンテナ選択用パラメータ決定部２０２は、システム全体のスループットを求める処理の初期条件としてｉ＝１を設定する。ここで、ｉは送信アンテナの組み合わせの番号を示す。【００３９】  次いでＳＴ４３２でアンテナ選択用パラメータ決定部２０２は、送信アンテナの組み合わせＣｉにおける各サブストリームのスループットＴ（ｉ，１）、Ｔ（ｉ，２）、…、Ｔ（ｉ，ｎＴ／２）を求める。ここでＴ（ｉ，ｊ）の第１要素「ｉ」（ｉ＝１，２，…，Ｋ）は送信アンテナの組み合わせの番号を示し、第２要素「ｊ」（ｊ＝１，２，…，ｎＴ／２）は各サブストリームを示す。例えば組み合わせＣ１における、各サブストリームＳ１、Ｓ２、…、ＳｎＴ／２それぞれのスループットＴ（１，１）、Ｔ（１，２）、…、Ｔ（１，ｎＴ／２）を決める。各Ｔ（１，ｊ）（ｊ＝１、２、…ｎＴ／２）、例えばＴ（１，１）を求める方法としては、図３に示すフロー図のＳＴ４０２において求められたＳＩＮＲ（１，１）に基づき、図４の表を参照して所定のＢＥＲまたはＦＥＲ条件を満たしながらスループットが最大となるランクＭ、例えばＭ＝３を決めて、それに対応してスループットはＴ（１，１）＝１．５となる。【００４０】  次いでＳＴ４３３でアンテナ選択用パラメータ決定部２０２は、ＳＴ４３２で求められた各サブストリームのスループットの総和、すなわち送信アンテナの組み合わせＣｉにおけるシステム全体のスループットＴｉ＝Ｔ（ｉ，１）＋Ｔ（ｉ，２）＋…＋Ｔ（ｉ，ｎＴ／２）を求める。例えばＳＴ４３１で求められた、組み合わせＣ１におけるシステム全体のスループットＴ１＝Ｔ（１，１）＋Ｔ（１，２）＋…＋Ｔ（１，ｎＴ／２）を求める。【００４１��  次いでＳＴ４３４でアンテナ選択用パラメータ決定部２０２は、ｉ＜Ｋであるか否かを判定する。ｉ＜Ｋである場合はｉを１インクリメントしてからＳＴ４３２に戻り、ＳＴ４３２〜ＳＴ４３３を繰り返しながら、送信アンテナの全組み合わせそれぞれにおける、各サブストリームのスループットの総和Ｔｉ（ｉ＝１，２，…，Ｋ）を求める。一方、ｉ＜Ｋでない、すなわち、ｉがＭに達した場合は、当該処理を終了し、図３に示すフロー図のＳＴ４０４に進む。【００４２】  次いで図３に示すフロー図ＳＴ４０４でアンテナ選択用パラメータ決定部２０２は、Ｔｉ（ここでｉ＝１，２，…Ｋ）の値が最大となるｉを選択し、アンテナ選択用パラメータＣとして決定する。【００４３】  このように、システム全体のスループットが最大になるようなアンテナの組み合わせを選択することにより、システムの周波数利用効率を向上させることができる。【００４４】  なお、本実施の形態でＡＭＣパラメータ決定部１０７は、実施の形態１と同様に送信アンテナの全組み合わせそれぞれにおける各サブストリームのＳＴＴＤ復号後のＳＩＮＲを用いて、ＡＭＣパラメータＭを決定しても良いが、アンテナ選択用パラメータ決定部２０２により決定されたアンテナ選択用パラメータＣに対応する送信アンテナの特定の組み合わせにおいて、図４のＳＴ４３２の方法を用いて、各サブストリームに対応するランクＭ１、Ｍ２、…、ＭｎＴ／２を決定しても良い。かかる場合、この決定されたランクＭ１、Ｍ２、…、ＭｎＴ／２に対応する各サブストリームのスループットの総和は、アンテナ選択用パラメータ決定部２０２が図４示すＳＴ４０４で選択したＴｉの最大値と一致する。【００４５】  以上、本発明の各実施の形態について説明した。【００４６】  図６は、本発明を適用した場合と本発明を適用しなかった場合との無線通信システムの性能を比較して示す図である。このシステムには、４つの送信アンテナおよび２つの受信アンテナを用いて通信を行い、通信チャネルはフラットフェージングチャネル（ｆｌａｔ  ｆａｄｉｎｇ  ｃｈａｎｎｅｌ）である。なお、変調方式はＢＰＳＫ、ＱＰＳＫ、８ＰＳＫ、および１６ＱＡＭを含み、ＢＥＲの上限値は１０−３である。この図においては、横軸がＳＮＲ（Ｓｉｇｎａｌ  ｔｏ  Ｎｏｉｓｅ  Ｒａｔｉｏ）を示し、縦軸がシステムの性能となる周波数利用効率を示す。なお、白丸の点は本発明を適用した場合の周波数利用率を示し、黒丸の点は本発明を適用しなかった場合の周波数利用効率を示す。図６が示すように、本発明によれば無線通信システムの性能を向上させることができる。【００４７】  本発明に係る無線通信システム、無線送信装置、無線受信装置および無線通信方法は、上記各実施の形態に限定されず、種々変更して実施することが可能である。【００４８】  本発明に係る無線送信装置および無線受信装置は、ＭＩＭＯ方式の移動体通信システムにおける通信端末装置および基地局装置に搭載することが可能であり、これにより上記と同様の作用効果を有する通信端末装置、基地局装置、および移動体通信システムを提供することができる。【００４９】  また、ここでは、本発明をハードウェアで構成する場合を例にとって説明したが、本発明をソフトウェ���で実現することも可能である。例えば、本発明に係る送信アンテナの組み合わせの選択方法のアルゴリズムをプログラミング言語によって記述し、このプログラムをメモリに記憶しておいて情報処理手段によって実行させることにより、本発明に係る無線送信装置および無線受信装置と同様の機能を実現することができる。【００５０】  本発明の１つの態様は、複数アンテナを用いて通信を行う無線通信システムの無線通信方法であって、前記無線通信システムの受信側は、チャネルを推定し、送信アンテナの全組み合わせにおける各サブストリームのＳＴＴＤ復号後のＳＩＮＲを計算するステップと、前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記総伝送性能のパラメータが最良の送信アンテナの組み合わせを、当面選択する組み合わせとして、アンテナ選択パラメータを得るステップと、前記選択された組み合わせにおいて計算して得られる、各サブストリームのＳＴＴＤ復号後のＳＩＮＲに基づき、各サブストリームに対して適応変調符号化パラメータを選択するステップと、前記アンテナ選択パラメータおよび前記選択された適応変調符号化パラメータをフィードバックチャネルを用いて送信側にフィードバックするステップと、を実行し、前記無線通信システムの送信側は、前記受信側からフィードバックされる適応変調符号化パラメータに基づき、送信データに対して適応変調および符号化を行うステップと、ＳＴＴＤ符号化を行い、前記受信側からフィードバックされるアンテナ選択パラメータに基づき、アンテナの組み合わせを選択し、前記選択されたアンテナの組み合わせを用いて前記送信データを送信するステップと、を実行するようにした。【００５１】  本発明のもう１つの態様は、上記態様において、前記受信側は、以前に保存していた前記適応変調符号化パラメータおよび前記アンテナ選択パラメータに基づき、ＳＴＴＤ復号処理および適応復調復号処理を行い、元の送信データを取得するステップ、をさらに実行するようにした。【００５２】  本発明のもう１つの態様は、上記態様において、前記総伝送性能のパラメータは、前記無線通信システムの総通信容量であるようにした。【００５３】  本発明のもう１つの態様は、上記態様において、前記無線通信システムの総通信容量は、前記送信アンテナの全組み合わせにおけるＳＩＮＲを用いてシャノン（Ｓｈａｎｎｏｎ）の式により得られるようにした。【００５４】  本発明のもう１つの態様は、上記態様において、前記総伝送性能のパラメータは、適応変調符号化の実際のスループットであるようにした。【００５５】  本発明のもう１つの態様は、上記態様において、前記適応変調符号化の実際のスループットは、前記適応変調符号化パラメータに対応するスループットの総和であるようにした。【００５６】  本発明のもう１つの態様は、上記態様において、前記送信側で行われる適応変調符号化、ＳＴＴＤ、およびアンテナ組合せ選択は、１つのサブストリームが２つまたは２つ以上の固定の送信アンテナに対応する方式で行われるようにした。【００５７】  本発明のもう１つの態様は、複数アンテナを用いて通信を行う無線通信システムの無線受信装置であって、チャネルを推定するチャネル推定手段と、前記推定手段の出力に基づき、送信アンテナの全組み合わせにおける各サブストリームのＳＴＴＤ復号後のＳＩＮＲを計算し、前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記記総伝送性能のパラメータがもっとも良い送信アンテナの組み合わせを、当面選択する組み合わせとして、アンテナ選択パラメータと前記選択されたアンテナ組み合わせにおいて計算された各サブストリームのＳＴＴＤ復号後のＳＩＮＲとを出力し、送信側に前記アンテナ選択パラメータをフィードバックするアンテナ選択パラメータ決定手段と、前記アンテナ選択パラメータ決定手段から受ける、前記選択されたアンテナ組み合わせにおいて計算された各サブストリームのＳＴＴＤ復号後のＳＩＮＲに基づき、各サブストリームに対して適応変調符号化パラメータを選択し、前記選択された適応変調符号化パラメータを送信側にフィードバックする適応変調符号化パラメータ選択手段と、以前に保存していた前記適応変調符号化パラメータおよび前記アンテナ選択パラメータに基づき、ＳＴＴＤ復号処理および適応復調復号処理を行い、もとのデータを取得するＭＩＭＯ検出手段と、を具備する構成を採る。【００５８】  本発明のもう１つの態様は、上記態様において、前記総伝送性能のパラメータは、前記無線通信システムの総通信容量である構成を採る。【００５９】  本発明のもう１つの態様は、上記態様において、前記無線通信システムの総通信容量は、前記送信アンテナの全組み合わせにおけるＳＩＮＲを用いてシャノンの式により得られる構成を採る。【００６０】  本発明のもう１つの態様は、上記態様において、前記総伝送性能のパラメータは、適応変調符号化の実際のスループットである構成を採る。【００６１】  本発明のもう１つの態様は、上記態様において、前記適応変調符号化の実際のスループットは、前記適応変調符号化パラメータに対応するスループットの総和である構成を採る。【００６２】  本発明のもう１つの態様は、複数アンテナを用いて通信を行う無線通信システムの無線送信装置であって、受信側からフィードバックされる適応変調符号化パラメータに基づき、データに対して適応変調および符号化を行う適応変調符号化手段と、ＳＴＴＤ符号化を行う、ＳＴＴＤ符号化手段と、受信側からフィードバックされるアンテナ選択パラメータに基づき、アンテナの組み合わせを選択し、前記選択されたアンテナの組み合わせを用いて前記データを送信するアンテナ選択手段と、を具備する構成を採る。【００６３】  本発明のもう１つの態様は、上記態様において、前記送信側で行われる適応変調符号化、ＳＴＴＤ、およびアンテナ組合せ選択は、１つのサブストリームが２つまたは２つ以上の固定の送信アンテナに対応する方式で行われる構成を採る。【００６４】  本明細書は、２００５年１月１３日出願の中国特許出願第２００５１０００４３６５．２号に基づく。この内容はすべてここに含めておく。
【産業上の利用可能性】
【００６５】  本発明に係る無線通信システム、無線送信装置、無線受信装置、および無線通信方法は、複数のアンテナを用いて通信を行う無線通信システム等の用途に適用することができる。
【図１】
2006075661.tif 000004
【図２】
2006075661.tif 000005
【図３】
2006075661.tif 000006
【図４】
2006075661.tif 000007
【図５】
2006075661.tif 000008
【図６】
2006075661.tif 000009
【手続補正書】
【提出日】平成18年6月16日(2006.6.16)
【手続補正１】
【補正対象書類名】特許請求の範囲
【補正対象項目名】請求の範囲
【補正方法】変更
【補正の内容】
【書類名】請求の範囲
【請求項１】（補正後）複数の送信アンテナを用いて複数のサブストリームを送信する無線送信装置と、複数の受信アンテナを用いて前記複数のサブストリームを受信する無線受信装置と、を具備する無線通信システムであって、
前記無線受信装置は、
前記複数のサブストリームを用いてチャネル推定を行い、チャネル推定行列を生成するチャネル推定手段と、
前記チャネル推定行列を用いて前記複数の送信アンテナの全組み合わせ各々における前記無線通信システム全体の性能を算出するシステム性能算出手段と、
前記無線通信システム全体の性能が最良となる特定の組み合わせを決定する特定組合せ決定手段と、
前記特定の組み合わせに関する情報を前記無線送信装置に通知する通知手段と、
を具備し、
前記無線送信装置は、
前記無線受信装置から通知される前記特定の組み合わせに従って、送信に使用する前記送信アンテナを選択するアンテナ選択手段と、
前記選択された送信アンテナを用いて前記複数のサブストリームを送信する送信手段と、
を具備する、
無線通信システム。
【請求項２】（補正後）無線送信装置から送信された複数のサブストリームを、複数の受信アンテナを用いて受信する受信手段と、
前記複数のサブストリームを用いてチャネル推定を行い、チャネル推定行列を生成するチャネル推定手段と、
前記チャネル推定行列を用いて前記複数の送信アンテナの全組み合わせ各々における無線通信システム全体の性能を算出するシステム性能算出手段と、
前記無線通信システム全体の性能が最良となる組合せを特定の組み合わせと決定する決定手段と、
前記特定の組み合わせに関する情報を前記無線送信装置に通知する通知手段と、
を具備する無線受信装置。
【請求項３】（補正後）前記システム性能算出手段は、
前記無線通信システム全体の通信容量を、前記無線通信システム全体の性能として算出する、
請求項２記載の無線受信装置。
【請求項４】（補正後）前記システム性能算出手段は、
前記無線通信システム全体のスループットを、前記無線通信システム全体の性能として算出する、
請求項２記載の無線受信装置。
【請求項５】（補正後）前記全組合せ各々における前記複数のサブストリーム各々のＳＩＮＲ値を算出するＳＩＮＲ算出手段、
をさらに具備し、
前記システム性能算出手段は、
前記全組合せ各々における前記複数のサブストリーム各々のＳＩＮＲ値を用いて、シャノン（Ｓｈａｎｎｏｎ）の式に従って、前記無線通信システム全体の通信容量を算出する、
請求項３記載の無線受信装置。
【請求項６】（補正後）前記チャネル推定行列に対応する前記複数の送信アンテナの第１組合せにおける、前記複数のサブストリーム各々のＳＩＮＲ値からなる第１ＳＩＮＲベクトルを検出する検出手段と、
前記チャネル推定行列を、前記第１組合せと異なる第２組合せに対応するチャネル行列に変換できる、列変換行列を算出する列変換算出手段と、
前記列変換行列を用いて前記第１ＳＩＮＲベクトルに対し列変換を行い、前記第２組合せにおける前記複数のサブストリーム各々のＳＩＮＲ値を算出する列変換実行手段と、
をさらに具備し、
前記ＳＩＮＲ算出手段は、
前記列変換算出手段と、前記列変換実行手段とにおける処理を繰り返し、前記全組合せ各々における、前記複数のサブストリーム各々のＳＩＮＲ値を算出する、
請求項５記載の無線受信装置。
【請求項７】（補正後）前記全組合せ各々における、前記複数のサブストリーム各々のスループットを算出するスループット算出手段、
をさらに具備し、
前記システム性能算出手段は、
前記複数のサブストリーム各々のスループットの総和を、前記無線通信システム全体のスループットとして算出する、
請求項４記載の無線受信装置。
【請求項８】（補正後）前記全組合せ各々において、前記チャネル推定行列に基づき、前記サブストリーム毎の適応変調符号化（ＡＭＣ）パラメータを決定するＡＭＣパラメータ決定手段と、
をさらに具備し、
前記ＡＭＣパラメータ決定手段は、
前記サブストリーム毎に、ＢＥＲ、またはＦＥＲなどの受信品質を所定レベルに維持しつつ、最大のスループットが得られるＡＭＣパラメータを決定し、
前記スループット算出手段は、
前記決定されたサブストリーム毎のＡＭＣパラメータに対応する前記最大のスループットを、前記無線通信システム全体のスループットを算出するのに用いられる、前記複数のサブストリーム各々のスループットと決定する、
請求項７記載の無線受信装置。
【請求項９】（補正後）以前に保存していた前記ＡＭＣパラメータおよび前記複数の送信アンテナの特定の組合せに基づき、ＳＴＴＤ復号処理および適応復調復号処理を行い、元の送信データを取得する復号手段、
をさらに具備する請求項８記載の無線受信装置。
【請求項１０】（補正後）複数の送信アンテナを用いて複数のサブストリームを送信する送信手段と、
無線受信装置から通知される複数の送信アンテナの特定の組み合わせに従って、送信に使用する前記送信アンテナを選択するアンテナ選択手段と、
を具備し、
前記送信手段は、
複数の送信アンテナのうち、前記選択された送信アンテナを用いて前記複数のサブストリームを送信する、
無線送信装置。
【請求項１１】（補正後）前記受信装置からフィードバックされるＡＭＣパラメータに基づき、前記複数のサブストリームに対して適応変調および符号化を行う適応変調符号化手段と、
ＳＴＴＤ符号化を行うＳＴＴＤ符号化手段と、
をさらに具備する請求項１０記載の無線送信装置。
【請求項１２】（補正後）前記適応変調符号化、前記ＳＴＴＤ符号化、および前記アンテナ選択手段における選択は、１つのサブストリームが２つまたは２つ以上の固定の前記送信アンテナに対応する方式で行われる、
請求項１１記載の無線送信装置。
【請求項１３】（補正後）無線送信装置は、複数の送信アンテナを用いて複数のサブストリームを送信し、無線受信装置は、複数の受信アンテナを用いて前記複数のサブストリームを受信する無線通信方法であって、
前記無線受信装置は、
前記複数のサブストリームを用いてチャネル推定を行い、チャネル推定行列を生成するステップと、
前記チャネル推定行列を用いて前記複数の送信アンテナの全組み合わせ各々における前記無線通信システム全体の性能を算出するステップと、
前記無線通信システム全体の性能が最良となる特定の組み合わせを決定するステップと、
前記特定の組み合わせに関する情報を前記無線送信装置に通知するステップと、
を実行し、
前記無線送信装置は、
前記無線受信装置から通知される前記特定の組み合わせに従って、送信に使用する前記送信アンテナを選択するステップと、
前記選択された送信アンテナを用いて前記複数のサブストリームを送信するステップと、
を実行する、
無線通信方法。
【請求項１４】（補正後）前記無線受信装置は、
前記複数の送信アンテナの全組み合わせ各々における各サブストリームのＳＴＴＤ復号後のＳＩＮＲを計算するステップと、
前記選択された特定の組み合わせにおいて計算して得られる、各サブストリームのＳＴＴＤ復号後のＳＩＮＲに基づき、各サブストリームに対してＡＭＣパラメータを選択するステップと、
をさらに実行し、
前記無線通信システム全体の性能を算出するステップにおいては、
前記複数の送信アンテナの全組み合わせ各々における各サブストリームのＳＴＴＤ復号後のＳＩＮＲに基づき、前記複数の送信アンテナの全組み合わせ各々における前記無線通信システム全体の性能を計算し、
前記特定の組合せに関する情報を前記無線送信装置に通知するステップにおいては、
フィードバックチャネルを用い、さらに、前記選択されたＡＭＣパラメータを前記無線送信装置に通知し、
前記無線送信装置は、
前記無線受信装置から通知されるＡＭＣパラメータに基づき、送信データに対して適応変調符号化を行うステップと、
ＳＴＴＤ符号化を行うステップと、
をさらに実行する、
請求項１３記載の無線通信方法。
【請求項１５】（削除）
２５
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
複数の送信アンテナを用いて複数のサブストリームを送信する無線送信装置と、複数の受信アンテナを用いて前記複数のサブストリームを受信する無線受信装置と、を具備する無線通信システムであって、
前記無線受信装置は、
前記複数のサブストリームを用いてチャネル推定を行い、チャネル推定行列を生成するチャネル推定手段と、
前記チャネル推定行列を用いて前記複数の送信アンテナの全組み合わせ各々における前記無線通信システム全体の性能を算出するシステム性能算出手段と、
前記無線通信システム全体の性能が最良となる特定の組み合わせを決定する特定組合せ決定手段と、
前記特定の組み合わせに関する情報を前記無線送信装置に通知する通知手段と、
を具備し、
前記無線送信装置は、
前記無線受信装置から通知される前記特定の組み合わせに従って、送信に使用する前記送信アンテナを選択するアンテナ選択手段と、
前記選択された送信アンテナを用いて前記複数のサブストリームを送信する送信手段と、
を具備する、
無線通信システム。
【請求項２】
無線送信装置から送信された複数のサブストリームを、複数の受信アンテナを用いて受信する受信手段と、
前記複数のサブストリームを用いてチャネル推定を行い、チャネル推定行列を生成するチャネル推定手段と、
前記チャネル推定行列を用いて前記複数の送信アンテナの全組み合わせ各々における無線通信システム全体の性能を算出するシステム性能算出手段と、
前記無線通信システム全体の性能が最良となる組合せを特定の組み合わせと決定する決定手段と、
前記特定の組み合わせに関する情報を前記無線送信装置に通知する通知手段と、
を具備する無線受信装置。
【請求項３】
前記システム性能算出手段は、
前記無線通信システム全体の通信容量を、前記無線通信システム全体の性能として算出する、
請求項２記載の無線受信装置。
【請求項４】
前記システム性能算出手段は、
前記無線通信システム全体のスループットを、前記無線通信システム全体の性能として算出する、
請求項２記載の無線受信装置。
【請求項５】
前記全組合せ各々における前記複数のサブストリーム各々のＳＩＮＲ値を算出するＳＩＮＲ算出手段、
をさらに具備し、
前記システム性能算出手段は、
前記全組合せ各々における前記複数のサブストリーム各々のＳＩＮＲ値を用いて、シャノン（Ｓｈａｎｎｏｎ）の式に従って、前記無線通信システム全体の通信容量を算出する、
請求項３記載の無線受信装置。
【請求項６】
前記チャネル推定行列に対応する前記複数の送信アンテナの第１組合せにおける、前記複数のサブストリーム各々のＳＩＮＲ値からなる第１ＳＩＮＲベクトルを検出する検出手段と、
前記チャネル推定行列を、前記第１組合せと異なる第２組合せに対応するチャネル行列に変換できる、列変換行列を算出する列変換算出手段と、
前記列変換行列を用いて前記第１ＳＩＮＲベクトルに対し列変換を行い、前記第２組合せにおける前記複数のサブストリーム各々のＳＩＮＲ値を算出する列変換実行手段と、
をさらに具備し、
前記ＳＩＮＲ算出手段は、
前記列変換算出手段と、前記列変換実行手段とにおける処理を繰り返し、前記全組合せ各々における、前記複数のサブストリーム各々のＳＩＮＲ値を算出する、
請求項５記載の無線受信装置。
【請求項７】
前記全組合せ各々における、前記複数のサブストリーム各々のスループットを算出するスループット算出手段、
をさらに具備し、
前記システム性能算出手段は、
前記複数のサブストリーム各々のスループットの総和を、前記無線通信システム全体のスループットとして算出する、
請求項４記載の無線受信装置。
【請求項８】
前記全組合せ各々において、前記チャネル推定行列に基づき、前記サブストリーム毎の適応変調符号化（ＡＭＣ）パラメータを決定するＡＭＣパラメータ決定手段と、
をさらに具備し、
前記ＡＭＣパラメータ決定手段は、
前記サブストリーム毎に、ＢＥＲ、またはＦＥＲなどの受信品質を所定レベルに維持しつつ、最大のスループットが得られるＡＭＣパラメータを決定し、
前記スループット算出手段は、
前記決定されたサブストリーム毎のＡＭＣパラメータに対応する前記最大のスループットを、前記無線通信システム全体のスループットを算出するのに用いられる、前記複数のサブストリーム各々のスループットと決定する、
請求項７記載の無線受信装置。
【請求項９】
以前に保存していた前記ＡＭＣパラメータおよび前記複数の送信アンテナの特定の組合せに基づき、ＳＴＴＤ復号処理および適応復調復号処理を行い、元の送信データを取得する復号手段、
をさらに具備する請求項８記載の無線受信装置。
【請求項１０】
複数の送信アンテナを用いて複数のサブストリームを送信する送信手段と、
無線受信装置から通知される複数の送信アンテナの特定の組み合わせに従って、送信に使用する前記送信アンテナを選択するアンテナ選択手段と、
を具備し、
前記送信手段は、
複数の送信アンテナのうち、前記選択された送信アンテナを用いて前記複数のサブストリームを送信する、
無線送信装置。
【請求項１１】
前記受信装置からフィードバックされるＡＭＣパラメータに基づき、前記複数のサブストリームに対して適応変調および符号化を行う適応変調符号化手段と、
ＳＴＴＤ符号化を行うＳＴＴＤ符号化手段と、
をさらに具備する請求項１０記載の無線送信装置。
【請求項１２】
前記適応変調符号化、前記ＳＴＴＤ符号化、および前記アンテナ選択手段における選択は、１つのサブストリームが２つまたは２つ以上の固定の前記送信アンテナに対応する方式で行われる、
請求項１１記載の無線送信装置。
【請求項１３】
無線送信装置は、複数の送信アンテナを用いて複数のサブストリームを送信し、無線受信装置は、複数の受信アンテナを用いて前記複数のサブストリームを受信する無線通信方法であって、
前記無線受信装置は、
前記複数のサブストリームを用いてチャネル推定を行い、チャネル推定行列を生成するステップと、
前記チャネル推定行列を用いて前記複数の送信アンテナの全組み合わせ各々における前記無線通信システム全体の性能を算出するステップと、
前記無線通信システム全体の性能が最良となる特定の組み合わせを決定するステップと、
前記特定の組み合わせに関する情報を前記無線送信装置に通知するステップと、
を実行し、
前記無線送信装置は、
前記無線受信装置から通知される前記特定の組み合わせに従って、送信に使用する前記送信アンテナを選択するステップと、
前記選択された送信アンテナを用いて前記複数のサブストリームを送信するステップと、
を実行する、
無線通信方法。
【請求項１４】
前記無線受信装置は、
前記複数の送信アンテナの全組み合わせ各々における各サブストリームのＳＴＴＤ復号後のＳＩＮＲを計算するステップと、
前記選択された特定の組み合わせにおいて計算して得られる、各サブストリームのＳＴＴＤ復号後のＳＩＮＲに基づき、各サブストリームに対してＡＭＣパラメータを選択するステップと、
をさらに実行し、
前記無線通信システム全体の性能を算出するステップにおいては、
前記複数の送信アンテナの全組み合わせ各々における各サブストリームのＳＴＴＤ復号後のＳＩＮＲに基づき、前記複数の送信アンテナの全組み合わせ各々における前記無線通信システム全体の性能を計算し、
前記特定の組合せに関する情報を前記無線送信装置に通知するステップにおいては、
フィードバックチャネルを用い、さらに、前記選択されたＡＭＣパラメータを前記無線送信装置に通知し、
前記無線送信装置は、
前記無線受信装置から通知されるＡＭＣパラメータに基づき、送信データに対して適応変調符号化を行うステップと、
ＳＴＴＤ符号化を行うステップと、
をさらに実行する、
請求項１３記載の無線通信方法。
【手続補正２】
【補正対象書類名】明細書
【補正対象項目名】全文
【補正方法】変更
【補正の内容】
【発明の詳細な説明】
【技術分野】
【０００１】
本発明は、複数アンテナを用いて通信を行う無線通信方法、無線受信装置、無線送信装置、および無線通信システムに関する。
【背景技術】
【０００２】
近年、限られた周波数帯域を有効に利用し、高品質で高速な伝送を実現するシステムとして、ＭＩＭＯ（Multiple-Input Multiple-Output）システムが注目されている。ＭＩＭＯシステムは、送受信双方に複数アンテナを用い、複数の固有ベクトルにより独立な信号を同一帯域において同時に送受信するシステムである。ＭＩＭＯシステムは、シングルアンテナシステムと比べて複数アンテナを用いることにより周波数帯域の拡大なしに伝送通信容量の拡大を図ることができ、伝送速度を向上することができる。
【０００３】
ＭＩＭＯ技術を適用した無線通信システムの伝送速度をさらに向上させるために、ＭＩＭＯを適用したシステムにＳＴＴＤ（Space-Time Transmit Diversity）を導入した技術が、提案されている。ＳＴＴＤは２つのアンテナを使用して該当アンテナを通じて伝送されるシンボル間のコーディングを通じて時間的なダイバーシチ利得だけでなく、空間的なダイバーシチ利得を得るための技法である。提案された技術は、４つの送信アンテナを用いたシステムにＳＴＴＤ技術を組み込んだため、この構成はＤＳＴＴＤ（Double-STTD）構成と呼ばれる。
【０００４】
なお、上記のＤＳＴＴＤ構成を採るシステムのスループットをさらに向上させるために、ＤＳＴＴＤにＡＭＣを導入したＤＳＴＴＤ−ＳＧＲＣ（DSTTD-Sub-Group Rate Control）が、提案されている。ＡＭＣ技術とは、変調方式や誤り訂正符号化率を適応的にかつ高速に変更する技術である。例えば伝播環境が良好なほど、高速の変調方式を用い、訂正符号化レートを大きくすることで、伝送速度を向上させ、システムのスループットを向上させる。
【０００５】
現在、ＤＳＴＴＤおよびＤＳＴＴＤ−ＳＧＲＣはすでに３ＧＰＰ（3rd Generation Partner Project）規格となっており、将来ＭＩＭＯを適用するシステムにおいて、もっとも採用される可能性の高い技術である。すなわち、ＭＩＭＯシステムにＳＴＴＤ技術とＡＭＣ技術とを同時に適用することによって、適応時空間ダイバーシチを実現することができる。
【発明の開示】
【０００６】
そこで、上記のようなＤＳＴＴＤおよびＤＳＴＴＤ−ＳＧＲＣの無線通信システムにおいては複数アンテナが構成するチャネルが時々刻々変化しているため、この変化を考慮して対処すれば、システム全体の性能をさらに向上させることができる。
【０００７】
よって、本発明の目的は、チャネルが時間変動することを考慮して、システム全体の性能を向上させることができる無線通信システム、無線受信装置、無線送信装置、および無線通信方法を提供することである。
【０００８】
本発明の技術思想は、受信側で時間変動するチャネルを推定し、チャネル推定結果に基づき、複数送信アンテナの全組み合わせそれぞれにおけるシステム全体の性能を計算して、システム全体の性能が最良となるような特定の組み合わせを決定し、決定結果を送信側にフィードバックする。送信側は受信側からフィードバックされた決定結果を用いて、送信アンテナの特定の組み合わせを選択して、この特定の組み合わせの送信アンテナを用いて、ＳＴＴＤ符号化された信号を送信する。これによって、チャネル変動に応じた適応ＳＴＴＤを実現し常時、システムの性能を最良の状態に維持することができる。
【０００９】
例えば、本発明の第１の態様は、複数の送信アンテナを用いて複数のサブストリームを送信する無線送信装置と、複数の受信アンテナを用いて前記複数のサブストリームを受信する無線受信装置と、を具備する無線通信システムであって、前記無線受信装置は、前記複数のサブストリームを用いてチャネル推定を行い、チャネル推定行列を生成するチャネル推定手段と、前記チャネル推定行列を用いて前記複数の送信アンテナの全組み合わせ各々における前記無線通信システム全体の性能を算出するシステム性能算出手段と、前記無線通信システム全体の性能が最良となる特定の組み合わせを決定する特定組合せ決定手段と、前記特定の組み合わせに関する情報を前記無線送信装置に通知する通知手段と、を具備し、前記無線送信装置は、前記無線受信装置から通知される前記特定の組み合わせに従って、送信に使用する前記送信アンテナを選択するアンテナ選択手段と、前記選択された送信アンテナを用いて前記複数のサブストリームを送信する送信手段と、を具備する構成を採る。
【００１０】
本発明によれば、複数アンテナを用いて通信を行う無線通信システムにおいて、システム全体の性能を向上させることができる。
【発明を実施するための最良の形態】
【００１１】
以下、本発明の実施の形態について、添付図面を参照して詳細に説明する。
【００１２】
（実施の形態１）
図１は、本発明の実施の形態１に係るＭＩＭＯシステム１００の主要な構成を示すブロック図である。ここでは、複数アンテナを用いる無線通信システムとして、ＡＭＣおよびＳＴＴＤを適用したＭＩＭＯシステム１００を例にとって説明する。
【００１３】
ＭＩＭＯシステム１００は、無線送信装置１５０と無線受信装置１６０とを備える。無線送信装置１５０は、Ｓ／Ｐ（シリアル／パラレル）変換部１０１、ＡＭＣ部１０２−１〜１０２−ｎＴ／２（以下、ＡＭＣ部１０２と総称する場合がある）、ＳＴＴＤ符号化部１０３−１〜１０３−ｎＴ／２（以下、ＳＴＴＤ符号化部１０３と総称する場合がある）、アンテナ選択部２０１、および送信アンテナ１０４−１〜１０４−ｎＴ（以下、送信アンテナ１０４と総称する場合がある）からなり、無線受信装置１６０は、受信アンテナ１０５−１〜１０５−ｎＲ（以下、受信アンテナ１０５と総称する場合がある）、チャネル推定部１０８、アンテナ選択用パラメータ決定部２０２、ＡＭＣパラメータ決定部１０７、およびＭＩＭＯ検出部１０６からなる。
【００１４】
無線送信装置１５０において、Ｓ／Ｐ変換部１０１は、入力される送信データ（Ｔｘ  Ｄａｔａ）に対してＳ／Ｐ変換処理を施しｎＴ／２個のサブストリームを生成して、ＡＭＣ部１０２−１〜１０２−ｎＴ／２それぞれに出力する。以下、Ｓ／Ｐ変換部１０１において生成された各サブストリームをＳ１，Ｓ２，…，ＳｎＴ／２と記す。ＡＭＣ部１０２−１〜１０２−ｎＴ／２それぞれは、フィードバックチャネル１０９を介して無線受信装置１６０からフィードバックされるＡＭＣパラメータＭ１〜ＭｎＴ／２それぞれに基づき、Ｓ／Ｐ変換部１０１から入力されるサブストリームＳ１〜ＳｎＴ／２それぞれに対して適応変調およびチャネルコーディング符号化処理（以下、ＡＭＣ処理と称する場合がある）を行う。ＳＴＴＤ符号化部１０３−１〜１０３−ｎＴ／２それぞれは、ＡＭＣ部１０２−１〜１０２−ｎＴ／２それぞれから入力される、ＡＭＣ処理されたサブストリームＳ１〜ＳｎＴ／２に対してＳＴＴＤ処理を施し、生成された２つの信号をそれぞれアンテナ選択部２０１に出力する。すなわち、１つのサブストリームから２つの送信信号が生成され、従って１つのサブストリームは２つの送信アンテナに対応している。
【００１５】
アンテナ選択部２０１は、フィードバックチャネル１０９を介して無線受信装置１６０からフィードバックされるアンテナ選択用パラメータＣに基づき、ＳＴＴＤ符号化部１０３−１〜１０３−ｎＴ／２から入力される信号それぞれを適応的に送信アンテナ１０４−１〜１０４−ｎＴの何れかに出力する。例えばアンテナ選択部２０１は、アンテナ選択用パラメータＣに基づきＳＴＴＤ符号化部１０３−１から入力される２つの信号のうち、１つを送信アンテナ１０４−５に出力し、もう１つを送信アンテナ１０４−１０に出力する。すなわちアンテナ選択用パラメータＣは、送信アンテナ１０４−１〜１０４−ｎＴの組み合わせの１つを示すものであり、ＳＴＴＤ符号化部１０３−１〜１０３−ｎＴ／２から入力される複数の送信信号と、複数の送信アンテナ１０４−１〜１０４−ｎＴとの対応関係を示す。このように、ＳＴＴＤ符号化部１０３−１〜１０３−ｎＴ／２によりＳＴＴＤされた信号は、適応的に選択された送信アンテナの特定の組み合わせを用いて送信されるため、このようなＳＴＴＤをここでは適応ＳＴＴＤと称する。
【００１６】
無線受信装置１６０において受信アンテナ１０５−１〜１０５−ｎＲは、送信アンテナ１０４−１〜１０４−ｎＴから送信される信号を受信する。チャネル推定部１０８は、受信アンテナ１０５−１〜１０５−ｎＲが受信した信号のうち、パイロットチャネル信号を用いて、あるいは他の方法によってチャネル推定を行い、現在のチャネルの特性を示すチャネル推定行列Ｈをアンテナ選択用パラメータ決定部２０２およびＭＩＭＯ検出部１０６に出力する。
【００１７】
アンテナ選択用パラメータ決定部２０２は、チャネル推定部１０８から入力されるチャネル推定行列Ｈに基づき、送信アンテナの全組み合わせそれぞれにおける各サブストリームのＳＴＴＤ復号後のＳＩＮＲ（Signal to Interference and Noise Ratio）を求めて、さらに、システム全体の性能が最良となる送信アンテナの特定の組み合わせを決定し、アンテナ選択用パラメータＣを得る。アンテナ選択用パラメータ決定部２０２におけるアンテナ選択用パラメータＣの決定処理の詳細については後述する。アンテナ選択用パラメータ決定部２０２は、チャネル推定行列Ｈまたは、送信アンテナの全組み合わせそれぞれにおける各サブストリームのＳＴＴＤ復号後のＳＩＮＲをＡＭＣパラメータ決定部１０７に出力する。またアンテナ選択用パラメータ決定部２０２は、次回の受信処理用にアンテナ選択用パラメータＣをＭＩＭＯ検出部１０６に出力し、次回の送信処理用にフィードバックチャネル１０９を介してアンテナ選択用パラメータＣを無線送信装置１５０のアンテナ選択部２０１にフィードバックする。
【００１８】
ＡＭＣパラメータ決定部１０７は、アンテナ選択用パラメータ決定部２０２から入力される、送信アンテナの全組み合わせそれぞれにおける各サブストリームのＳＴＴＤ復号後のＳＩＮＲを用いて、ＡＭＣパラメータＭを決定する処理を行う。ＡＭＣパラメータＭは、ＡＭＣ部１０２−１〜１０２−ｎＴ／２の各々に用いられるＡＭＣパラメータＭ１〜ＭｎＴ／２それぞれからなり、各サブストリームＳ１〜ＳｎＴ／２が経由するチャネルの特性に応じてシステムの性能が最良となる適応変調およびチャネルコーディングパラメータである。なお、フィードバック用のシステムリソースの消費を削減するために、各ＡＭＣパラメータＭ１〜ＭｎＴ／２として、変調方式およびチャネルコーディングの符号化率そのものではなく、変調方式およびチャネルコーディングの符号化率を示す識別番号をフィードバックしても良い。ＡＭＣパラメータ決定部１０７は、次回の送信処理用に、フィードバックチャネル１０９を介してＡＭＣパラメータＭを無線送信装置１５０のＡＭＣ部１０２にフィードバックする。ＡＭＣパラメータ決定部１０７は、また次回の受信処理用にＡＭＣパラメータＭをＭＩＭＯ検出部１０６に出力する。
【００１９】
ＭＩＭＯ検出部１０６は、前回の受信処理においてアンテナ選択用パラメータ決定部２０２から入力されたアンテナ選択用パラメータＣとＡＭＣパラメータ決定部１０７から入力されるＡＭＣパラメータＭとを用いて、受信アンテナ１０５−１〜１０５−ｎＲが受信した受信信号から、送信データとして無線送信装置１５０に入力されたＴｘ  Ｄａｔａを検出する。具体的にはＭＩＭＯ検出部１０６は、まず受信アンテナ１０５が受信した受信信号に対してＺＦ（Zero Forcing）またはＭＭＳＥ（Minimum Mean Square Error）などの空間分離処理を施し、ｎＴ／２個のサブストリームを検出する。検出された各サブストリームは、さらにＳＴＴＤ復号処理、復調およびチャネルデコーディング処理、Ｐ／Ｓ変換処理を施されて、無線送信装置１５０から送信されたデータ、すなわちＲｘ  Ｄａｔａを出力する。ここで受信データをＲｘ  Ｄａｔａと記す。ＭＩＭＯ検出部１０６におけるＳＴＴＤ復号処理は、ＳＴＴＤ符号化部１０３におけるＳＴＴＤ符号化処理の逆処理であり、ＭＩＭＯ検出部１０６における適応復調およびチャネルでコーディング処理は、ＡＭＣ部１０２におけるＡＭＣ処理の逆処理である。
【００２０】
フィードバックチャネル１０９は、アンテナ選択用パラメータ決定部２０２がアンテナ選択用パラメータＣをアンテナ選択部２０１にフィードバックするのに用いられる、またＡＭＣパラメータ決定部１０７がＡＭＣパラメータＭをＡＭＣ部１０２にフィードバックするのに用いられる。
【００２１】
図２は、本実施の形態に係るＭＩＭＯシステム１００においてアンテナの組み合わせを選択する処理を示すシーケンス図である。このシーケンス図が示す処理は、無線送信装置１５０が送信を行う度に行われる。この図においてＳＴ（ステップ）３０１、ＳＴ３０２、ＳＴ３０３、ＳＴ３０４、およびＳＴ３０８は無線受信装置１６０の動作を示し、ＳＴ３０５、ＳＴ３０６、およびＳＴ３０７は無線送信装置１５０の動作を示す。
【００２２】
まずチャネル推定部１０８は、チャネル推定を行いチャネル推定行列Ｈを得る（ＳＴ３０１）。次いでアンテナ選択用パラメータ決定部２０２は、アンテナ選択用パラメータ決定処理を行いアンテナ選択用パラメータＣを決定する（ＳＴ３０２）。次いでＡＭＣパラメータ決定部１０７は、ＡＭＣパラメータＭを決定する（ＳＴ３０３）。次いでアンテナ選択用パラメータ決定部２０２はアンテナ選択用パラメータＣをＭＩＭＯ検出部１０６に出力し、ＡＭＣパラメータ決定部１０７はＡＭＣパラメータＭをＭＩＭＯ検出部１０６に出力する（ＳＴ３０４）。またＳＴ３０４で、アンテナ選択用パラメータ決定部２０２はアンテナ選択用パラメータＣを無線送信装置１５０のアンテナ選択部２０１にフィードバックし、ＡＭＣパラメータ決定部１０７はＡＭＣパラメータＭをＡＭＣ部１０２にフィードバックする。次いでＡＭＣ部１０２は、無線送信装置１５０に入力される送信データＴｘ  Ｄａｔａに対して、ＡＭＣパラメータ決定部１０７からフィードバックされたＡＭＣパラメータＭを用いて、ＡＭＣ処理を施す（ＳＴ３０５）。次いでＳＴＴＤ符号化部１０３で、ＳＴＴＤ符号化処理が行われる（ＳＴ３０６）。次いでアンテナ選択部２０１は、アンテナ選択用パラメータ決定部２０２からフィードバックされたアンテナ選択用パラメータＣを用いて、アンテナ選択を行い送信信号を送信する（ＳＴ３０７）。次いで、無線送信装置１５０から送信される信号を受信した無線受信装置１６０において、ＭＩＭＯ検出部１０６はＡＭＣパラメータＭおよびアンテナ選択用パラメータＣを用いて、各サブストリームを検出し、ＳＴＴＤ復号処理、復調処理、チャネルデコーディング処理、およびＰ／Ｓ処理を施し、受信データＲｘ  Ｄａｔａを得て出力する（ＳＴ３０８）。
【００２３】
図３は、アンテナ選択用パラメータ決定部２０２においてアンテナ選択用パラメータＣを決定する処理の手順を示すフロー図である。このフロー図は、図２に示したＳＴ３０２のより詳細な処理を示す。
【００２４】
本実施の形態では、適応ＳＴＴＤを実現するために、通信チャネルの条件に応じて、複数送信アンテナの組み合わせを選択する処理を示す。複数送信アンテナの個数がｎＴである場合、これらの送信アンテナ１０４−１〜１０４−ｎＴの可能な組み合わせの総数は下記の式（１）に示すＫとなり、以下、各組み合わせをＣ１、Ｃ２、…、ＣＫで表す。
【数１】
2006075661.tif 000010
例えば、ｎＴ＝４の場合、送信アンテナ１０４−１〜１０４−４の可能な組み合わせの総数Ｋは３となり、各組み合わせはＣ１＝｛（１，２）；（３，４）｝、Ｃ２＝｛（１，３）；（２，４）｝、Ｃ３＝｛（１，４）；（２，３）｝である。ここで、ｎＴ＝４であるため、無線送信装置１５０で設けるＳＴＴＤ符号化部の数（ｎＴ／２）は２であり、組み合わせＣ３＝｛（１，４）；（２，３）｝は、ＳＴＴＤ符号化部１０３−１が出力する２つの信号は第１送信アンテナ１０４−１および第４送信アンテナ１０４−４を介して送信され、ＳＴＴＤ符号化部１０３−２が出力する２つの信号は送信アンテナ１０４−２および送信アンテナ１０４−３を介して送信されることを表す。以下、例えば（１，４）または（２，３）のように同一のＳＴＴＤ符号化部から出力される２つの信号を送信する２つのアンテナを１セットと称す。ここで、アンテナの１セットが決まれば、この２つの信号とこの１セットを構成する２つのアンテナとの間の対応関係は考慮しなくて良い。すなわち（１，４）＝（４，１）という式は成立する。なお、アンテナの全セットが決まれば、各ＳＴＴＤ符号化部と各アンテナのセットとの対応関係は、システム全体の性能を影響しないため考慮しなくて良い。すなわちＣ３＝｛（１，４）；（２，３）｝＝｛（２，３）；（１，４）｝という式も成立する。
【００２５】
まずＳＴ４０１は、アンテナ選択用パラメータＣを決定する処理のスタートを示し、この処理の初期条件として、チャネル推定行列Ｈは既知である。すなわちチャネル推定行列Ｈはアンテナ選択用パラメータＣを決定する処理を行う前に、チャネル推定部１０８の推定処理により得られたものである。
【００２６】
次いでＳＴ４０２でアンテナ選択用パラメータ決定部２０２は、送信アンテナの全組み合わせそれぞれにおいて、各サブストリームのＳＴＴＤ復号後のＳＩＮＲ（ｉ，ｊ）を求める。ここでＳＩＮＲ（ｉ，ｊ）の第１要素「ｉ」（ｉ＝１，２，…，Ｋ）は送信アンテナの組み合わせの番号であり、第２要素「ｊ」は各サブストリームを示す番号である。送信アンテナの組み合わせの変化は、チャネル推定行列Ｈの対応する列変換（列同士の置換）で表すことが可能であるため、送信アンテナの全組み合わせにおいて各ストリームのＳＴＴＤ復号後のＳＩＮＲを求めることとは、チャネル推定行列Ｈの各列変換に対応する各サブストリームのＳＴＴＤ復号後のＳＩＮＲを求めることである。換言すればチャネル推定行列Ｈに対応する各サブストリームのＳＴＴＤ復号後のＳＩＮＲの各列変換を求めることである。具体的に説明すると以下の通りである。例えばチャネル推定行列Ｈに対応する送信アンテナの組み合わせがＣ３とすれば、組み合わせＣ３における各サブストリームのＳＴＴＤ復号後のＳＩＮＲはＳＩＮＲ（３，ｊ）（ｊ＝１，２，…，ｎＴ／２）で表される。次いで、組み合わせＣ１は組み合わせＣ３の列変換であるため、Ｃ１に対応するＳＩＮＲ（１，ｊ）は、Ｃ３に対応するＳＩＮＲ（３，ｊ）に対して同様な列変換を行って求めることが可能である。同様に全組み合わせＣ１〜ＣＫそれぞれに対応するＳＩＮＲ（ｉ，ｊ）も、ＳＩＮＲ（３，ｊ）に対して列変換を行って求められる。
【００２７】
なお、上記のＳＩＮＲ（３，ｊ）を求めるためには、各サブストリームのＳＴＴＤ復号前のＳＩＮＲ（ここでは、ＳＩＮＲ'(３，ｊ)と記す）を求める必要があり、ＳＩＮＲ’（３，ｊ）は、ＭＩＭＯ検出部１０６においてＺＦまたはＭＭＳＥなどの空間分離処理により分離された各サブストリームに対して求めたＳＩＮＲである。ＳＩＮＲ'(３，ｊ)が得られると、ＳＩＮＲ（３，ｊ）はＳＩＮＲ'(３，ｊ)にＳＴＴＤ符号化ゲインを加えることにより求められる。すなわち、ＳＴＴＤ符号化ゲインをＧとすると、ＳＩＮＲ（３，ｊ）＝Ｇ＊ＳＩＮＲ'(３，ｊ)である。
【００２８】
次いでＳＴ４０３でアンテナ選択用パラメータ決定部２０２は、ＳＴ４０２で求められたＳＩＮＲ（ｉ，ｊ）（ここでi＝１，２，…，Ｋ、ｊ＝１，２，…，ｎＴ／２）を用いて、送信アンテナの全組み合わせそれぞれにおけるシステム全体の性能を求める。ここでは、システム全体の性能としてシステム全体の総通信容量を求める。例えば、下記の式（２）により、送信アンテナの全組み合わせそれぞれにおけるシステム全体の総通信容量Ｒｉ（ここでi＝１，２，…，Ｋ）を計算する。
【数２】
2006075661.tif 000011
式（２）が示すように、システム全体の総通信容量Ｒｉは、送信アンテナの組み合わせＣｉにおける、各ストリームの通信容量の総和であり、送信アンテナの各組み合わせにおいて各ストリームのＳＴＴＤ復号後のＳＩＮＲ（ｉ，ｊ）を用いてシャノンの式により求められる。
【００２９】
次いでＳＴ４０４で、システム全体の総通信容量Ｒｉが最大であるｉを選択して、アンテナ選択用パラメータＣと決定する。
【００３０】
次いでＳＴ４０５は、アンテナ選択用パラメータ決定部２０２におけるアンテナ選択用パラメータの決定処理のエンドを示す。上記のアンテナ選択用パラメータＣの決定処理のＳＴ４０４において決めたアンテナ選択用パラメータＣは、図２に示す手順のＳＴ３０４において、無線送信装置１５０のアンテナ選択部２０１にフィードバックされる。
【００３１】
このように、本実施の形態によれば、複数のアンテナを用いて通信を行う無線通信システムにおいて、システム全体の性能が最良となるように、アンテナの組み合わせを送信するたびに選択して決めるため、無線通信システムの総通信容量を向上させることができ、伝送速度を向上させことができる。
【００３２】
なお、本実施の形態ではアンテナ選択用パラメータＣを決定する処理において、ＳＩＮＲを用いる場合を例にとって説明したが、ＳＮＲ（Siginal to Noise Ratio）を用いても良い。
【００３３】
また、本実施の形態では１つのサブストリームが２つの送信アンテナに対応して送信される場合を例にとって説明したが、これに限定されずに、１つのサブストリームが２つ以上の送信アンテナに対応して送信されても良い。
【００３４】
（実施の形態２）
本実施の形態は、基本的に実施の形態１と同様であり、アンテナ選択用パラメータ決定部２０２がアンテナ選択用パラメータＣを決定する処理において、システム全体の性能としてシャノン式により求められたシステム全体の総通信容量ではなく、システム全体の実際のスループットを用いる点で相違する。すなわち、図３に示すフロー図のＳＴ４０３およびＳＴ４０４の処理以外の部分は実施の形態１と同様であるため、ここでは、ＳＴ４０３およびＳＴ４０４の処理以外の部分に関する説明は略す。
【００３５】
図４に示す表は、各サブストリームのスループットを求めるために用いられるテーブルである。このテーブルは、複数の変調方式および誤り訂正符号化率の組み合わせを示し、第１列はこのような組み合わせに付けられたランクＭを、第２列は誤り訂正符号化パラメータを、第３列は変調パラメータを示す。第４列は、同一の行の第２列が示す誤り訂正符号化率と第３列が示す変調方式との組み合わせで、実際にサブストリームに対してＡＭＣ処理を施し通信を行う場合、サブストリームのスループットを示す。ここで、Ｍｊ＝０（ｊ＝０，１，…，ｎＴ／２）に対応する「伝送しない」というパラメータはサブストリームＳｊを用いてはデータを送信しないことを表す。従って対応するスループットＴは０である。
【００３６】
図５は、システム全体のスループットを求める処理の手順を示すフロー図である。この図は、すなわち図３に示すフロー図のＳＴ４０３の詳細なステップを示す。
【００３７】
まず、ＳＴ４３１でアンテナ選択用パラメータ決定部２０２は、システム全体のスループットを求める処理の初期条件としてi＝１を設定する。ここで、ｉは送信アンテナの組み合わせの番号を示す。
【００３８】
次いでＳＴ４３２でアンテナ選択用パラメータ決定部２０２は、送信アンテナの組み合わせＣｉにおける各サブストリームのスループットＴ（ｉ，１）、Ｔ（ｉ，２）、…、Ｔ（ｉ，ｎＴ／２）を求める。ここでＴ（ｉ，ｊ）の第１要素「ｉ」（ｉ＝１，２，…，Ｋ）は送信アンテナの組み合わせの番号を示し、第２要素「ｊ」（ｊ＝１，２，…，ｎＴ／２）は各サブストリームを示す。例えば組み合わせＣ１における、各サブストリームＳ１、Ｓ２、…、ＳｎＴ／２それぞれのスループットＴ（１，１）、Ｔ（１，２）、…、Ｔ（１，ｎＴ／２）を決める。各Ｔ（１，ｊ）（ｊ＝１、２、…ｎＴ／２）、例えばＴ（１，１）を求める方法としては、図３に示すフロー図のＳＴ４０２において求められたＳＩＮＲ（１，１）に基づき、図４の表を参照して所定のＢＥＲまたはＦＥＲ条件を満たしながらスループットが最大となるランクＭ、例えばＭ＝３を決めて、それに対応してスループットはＴ（１，１）＝１．５となる。
【００３９】
次いでＳＴ４３３でアンテナ選択用パラメータ決定部２０２は、ＳＴ４３２で求められた各サブストリームのスループットの総和、すなわち送信アンテナの組み合わせＣｉにおけるシステム全体のスループットＴｉ＝Ｔ（ｉ，１）＋Ｔ（ｉ，２）＋…＋Ｔ（ｉ，ｎＴ／２）を求める。例えばＳＴ４３１で求められた、組み合わせＣ１におけるシステム全体のスループットＴ１＝Ｔ（１，１）＋Ｔ（１，２）＋…＋Ｔ（１，ｎＴ／２）を求める。
【００４０】
次いでＳＴ４３４でアンテナ選択用パラメータ決定部２０２は、i＜Ｋであるか否かを判定する。i＜Ｋである場合はｉを１インクリメントしてからＳＴ４３２に戻り、ＳＴ４３２〜ＳＴ４３３を繰り返しながら、送信アンテナの全組み合わせそれぞれにおける、各サブストリームのスループットの総和Ｔｉ（ｉ＝１，２，…，Ｋ）を求める。一方、i＜Ｋでない、すなわち、ｉがＭに達した場合は、当該処理を終了し、図３に示すフロー図のＳＴ４０４に進む。
【００４１】
次いで図３に示すフロー図ＳＴ４０４でアンテナ選択用パラメータ決定部２０２は、Ｔｉ（ここでｉ＝１，２，…Ｋ）の値が最大となるｉを選択し、アンテナ選択用パラメータＣとして決定する。
【００４２】
このように、システム全体のスループットが最大になるようなアンテナの組み合わせを選択することにより、システムの周波数利用効率を向上させることができる。
【００４３】
なお、本実施の形態でＡＭＣパラメータ決定部１０７は、実施の形態１と同様に送信アンテナの全組み合わせそれぞれにおける各サブストリームのＳＴＴＤ復号後のＳＩＮＲを用いて、ＡＭＣパラメータＭを決定しても良いが、アンテナ選択用パラメータ決定部２０２により決定されたアンテナ選択用パラメータＣに対応する送信アンテナの特定の組み合わせにおいて、図４のＳＴ４３２の方法を用いて、各サブストリームに対応するランクＭ１、Ｍ２、…、ＭｎＴ／２を決定しても良い。かかる場合、この決定されたランクＭ１、Ｍ２、…、ＭｎＴ／２に対応する各サブストリームのスループットの総和は、アンテナ選択用パラメータ決定部２０２が図４示すＳＴ４０４で選択したＴｉの最大値と一致する。
【００４４】
以上、本発明の各実施の形態について説明した。
【００４５】
図６は、本発明を適用した場合と本発明を適用しなかった場合との無線通信システムの性能を比較して示す図である。このシステムには、４つの送信アンテナおよび２つの受信アンテナを用いて通信を行い、通信チャネルはフラットフェージングチャネル（flat fading channel）である。なお、変調方式はＢＰＳＫ、ＱＰＳＫ、８ＰＳＫ、および１６ＱＡＭを含み、ＢＥＲの上限値は１０−３である。この図においては、横軸がＳＮＲ（Signal to Noise Ratio）を示し、縦軸がシステムの性能となる周波数利用効率を示す。なお、白丸の点は本発明を適用した場合の周波数利用率を示し、黒丸の点は本発明を適用しなかった場合の周波数利用効率を示す。図６が示すように、本発明によれば無線通信システムの性能を向上させることができる。
【００４６】
本発明に係る無線通信システム、無線送信装置、無線受信装置および無線通信方法は、上記各実施の形態に限定されず、種々変更して実施することが可能である。
【００４７】
本発明に係る無線送信装置および無線受信装置は、ＭＩＭＯ方式の移動体通信システムにおける通信端末装置および基地局装置に搭載することが可能であり、これにより上記と同様の作用効果を有する通信端末装置、基地局装置、および移動体通信システムを提供することができる。
【００４８】
また、ここでは、本発明をハードウェアで構成する場合を例にとって説明したが、本発明をソフトウェアで実現することも可能である。例えば、本発明に係る送信アンテナの組み合わせの選択方法のアルゴリズムをプログラミング言語によって記述し、このプログラムをメモリに記憶しておいて情報処理手段によって実行させることにより、本発明に係る無線送信装置および無線受信装置と同様の機能を実現することができる。
【００４９】
本発明の１つの態様は、複数アンテナを用いて通信を行う無線通信システムの無線通信方法であって、前記無線通信システムの受信側は、チャネルを推定し、送信アンテナの全組み合わせにおける各サブストリームのＳＴＴＤ復号後のＳＩＮＲを計算するステップと、前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記総伝送性能のパラメータが最良の送信アンテナの組み合わせを、当面選択する組み合わせとして、アンテナ選択パラメータを得るステップと、前記選択された組み合わせにおいて計算して得られる、各サブストリームのＳＴＴＤ復号後のＳＩＮＲに基づき、各サブストリームに対して適応変調符号化パラメータを選択するステップと、前記アンテナ選択パラメータおよび前記選択された適応変調符号化パラメータをフィードバックチャネルを用いて送信側にフィードバックするステップと、を実行し、前記無線通信システムの送信側は、前記受信側からフィードバックされる適応変調符号化パラメータに基づき、送信データに対して適応変調および符号化を行うステップと、ＳＴＴＤ符号化を行い、前記受信側からフィードバックされるアンテナ選択パラメータに基づき、アンテナの組み合わせを選択し、前記選択されたアンテナの組み合わせを用いて前記送信データを送信するステップと、を実行するようにした。
【００５０】
本発明のもう１つの態様は、上記態様において、前記受信側は、以前に保存していた前記適応変調符号化パラメータおよび前記アンテナ選択パラメータに基づき、ＳＴＴＤ復号処理および適応復調復号処理を行い、元の送信データを取得するステップ、をさらに実行するようにした。
【００５１】
本発明のもう１つの態様は、上記態様において、前記総伝送性能のパラメータは、前記無線通信システムの総通信容量であるようにした。
【００５２】
本発明のもう１つの態様は、上記態様において、前記無線通信システムの総通信容量は、前記送信アンテナの全組み合わせにおけるＳＩＮＲを用いてシャノン（Ｓｈａｎｎｏｎ）の式により得られるようにした。
【００５３】
本発明のもう１つの態様は、上記態様において、前記総伝送性能のパラメータは、適応変調符号化の実際のスループットであるようにした。
【００５４】
本発明のもう１つの態様は、上記態様において、前記適応変調符号化の実際のスループットは、前記適応変調符号化パラメータに対応するスループットの総和であるようにした。
【００５５】
本発明のもう１つの態様は、上記態様において、前記送信側で行われる適応変調符号化、ＳＴＴＤ、およびアンテナ組合せ選択は、１つのサブストリームが２つまたは２つ以上の固定の送信アンテナに対応する方式で行われるようにした。
【００５６】
本発明のもう１つの態様は、複数アンテナを用いて通信を行う無線通信システムの無線受信装置であって、チャネルを推定するチャネル推定手段と、前記推定手段の出力に基づき、送信アンテナの全組み合わせにおける各サブストリームのＳＴＴＤ復号後のＳＩＮＲを計算し、前記送信アンテナの全組み合わせにおける各サブストリームのＳＩＮＲに基づき、前記送信アンテナの全組み合わせにおける総伝送性能のパラメータを計算し、前記送信アンテナの全組み合わせの中から、前記記総伝送性能のパラメータがもっとも良い送信アンテナの組み合わせを、当面選択する組み合わせとして、アンテナ選択パラメータと前記選択されたアンテナ組み合わせにおいて計算された各サブストリームのＳＴＴＤ復号後のＳＩＮＲとを出力し、送信側に前記アンテナ選択パラメータをフィードバックするアンテナ選択パラメータ決定手段と、前記アンテナ選択パラメータ決定手段から受ける、前記選択されたアンテナ組み合わせにおいて計算された各サブストリームのＳＴＴＤ復号後のＳＩＮＲに基づき、各サブストリームに対して適応変調符号化パラメータを選択し、前記選択された適応変調符号化パラメータを送信側にフィードバックする適応変調符号化パラメータ選択手段と、以前に保存していた前記適応変調符号化パラメータおよび前記アンテナ選択パラメータに基づき、ＳＴＴＤ復号処理および適応復調復号処理を行い、もとのデータを取得するＭＩＭＯ検出手段と、を具備する構成を採る。
【００５７】
本発明のもう１つの態様は、上記態様において、前記総伝送性能のパラメータは、前記無線通信システムの総通信容量である構成を採る。
【００５８】
本発明のもう１つの態様は、上記態様において、前記無線通信システムの総通信容量は、前記送信アンテナの全組み合わせにおけるＳＩＮＲを用いてシャノンの式により得られる構成を採る。
【００５９】
本発明のもう１つの態様は、上記態様において、前記総伝送性能のパラメータは、適応変調符号化の実際のスループットである構成を採る。
【００６０】
本発明のもう１つの態様は、上記態様において、前記適応変調符号化の実際のスループットは、前記適応変調符号化パラメータに対応するスループットの総和である構成を採る。
【００６１】
本発明のもう１つの態様は、複数アンテナを用いて通信を行う無線通信システムの無線送信装置であって、受信側からフィードバックされる適応変調符号化パラメータに基づき、データに対して適応変調および符号化を行う適応変調符号化手段と、ＳＴＴＤ符号化を行う、ＳＴＴＤ符号化手段と、受信側からフィードバックされるアンテナ選択パラメータに基づき、アンテナの組み合わせを選択し、前記選択されたアンテナの組み合わせを用いて前記データを送信するアンテナ選択手段と、を具備する構成を採る。
【００６２】
本発明のもう１つの態様は、上記態様において、前記送信側で行われる適応変調符号化、ＳＴＴＤ、およびアンテナ組合せ選択は、１つのサブストリームが２つまたは２つ以上の固定の送信アンテナに対応する方式で行われる構成を採る。
【００６３】
本明細書は、２００５年１月１３日出願の中国特許出願第２００５１０００４３６５．２号に基づく。この内容はすべてここに含めておく。
【産業上の利用可能性】
【００６４】
本発明に係る無線通信システム、無線送信装置、無線受信装置、および無線通信方法は、複数のアンテナを用いて通信を行う無線通信システム等の用途に適用することができる。
【図面の簡単な説明】
【００６５】
【図１】本発明の実施の形態１に係るＭＩＭＯシステムの主要な構成を示すブロック図
【図２】本発明の実施の形態１に係るＭＩＭＯシステムにおいてアンテナの組み合わせを選択する処理を示すシーケンス図
【図３】本発明の実施の形態１に係るアンテナ選択用パラメータを決定する処理の手順を示すフロー図
【図４】本発明の実施の形態２に係る各サブストリームのスループットを求めるために用いられるテーブルを示す図
【図５】本発明の実施の形態２に係るシステム全体のスループットを求める処理の手順を示すフロー図
【図６】本発明を適用した場合と適用しなかった場合との無線通信システムの性能を比較して示す図
【手続補正３】
【補正対象書類名】図面
【補正対象項目名】全図
【補正方法】変更
【補正の内容】
【図１】
2006075661.tif 000012
【図２】
2006075661.tif 000013
【図３】
2006075661.tif 000014
【図４】
2006075661.tif 000015
【図５】
2006075661.tif 000016
【図６】
2006075661.tif 000017
【国際調査報告】
2006075661.tif 000018
2006075661.tif 000019
2006075661.tif 000020
2006075661.tif 000021
2006075661.tif 000022